(57)【要約】【課題】内部に収納するお菓子等の商品の品位を高め、高級感を演出できる手提げバックを提供する。【解決手段】底面部２ａと前後の側面部２ｂ，２ｃと前後の傾斜部２ｄ，２ｅが前後方向に連続した前後方向に長い長方形板状の簾２と、上面が開放された有底箱状の不織布製の可撓性収納部３で構成され、可撓性収納部３の底面が簾２の底面部２ａ上に貼着され、可撓性収納部３の前後の側面３ｂ，３ｃが簾２の前後の側面部２ｂ，２ｃの内側に貼着されて、簾２と可撓性収納部３が一体化されている。【選択図】図１
0003160851.tif 000002
【実用新案登録請求の範囲】
【請求項１】
底面部と前後の側面部と前後の傾斜部が前後方向に連続した前後方向に長い長方形板状の可撓性外周材と、
上面が開放された有底箱状の可撓性収納部で構成され、
該可撓性収納部の底面が前記可撓性外周材の底面部上に貼着され、可撓性収納部の前後の側面が前記可撓性外周材の前後の側面部の内側に貼着されている
ことを特徴とする手提げバック。
【請求項２】
前記可撓性外周材が、細く割った竹を糸で編み連ねた板状の簾であることを特徴とする請求項１に記載の手提げバック。
【請求項３】
前記可撓性収納部が不織布で形成されていることを特徴とする請求項１または請求項２に記載の手提げバック。
【請求項４】
前記簾には図柄が印刷されていることを特徴とする請求項２に記載の手提げバック。
【考案の詳細な説明】
【技術分野】
【０００１】
本考案は、高級感を演出できる手提げバックに関するものである。
【背景技術】
【０００２】
従来、お菓子等の商品を入れることのできる箱として、特許文献１に開示されているようなものがある。
【先行技術文献】
【特許文献】
【０００３】
【特許文献１】特開２００８−２８５２１６号公報
【考案の概要】
【考案が解決しようとする課題】
【０００４】
上記特許文献１に開示されているものは紙板の箱であり、中に入れられるお菓子等の商品の品位を高めて高級感を演出することはできないものであった。
【課題を解決するための手段】
【０００５】
本考案は、中に入れられる商品の品位を高め、高級感を演出できる手提げバックの提供を目的とし、この目的の少なくとも一部を達成するために以下の手段を採った。
本考案の手提げバックは、
底面部と前後の側面部と前後の傾斜部が前後方向に連続した前後方向に長い長方形板状の可撓性外周材と、
上面が開放された有底箱状の可撓性収納部で構成され、
該可撓性収納部の底面が前記可撓性外周材の底面部上に貼着され、可撓性収納部の前後の側面が前記可撓性外周材の前後の側面部の内側に貼着されている
ことを要旨とする。
【考案の効果】
【０００６】
可撓性収納部内に、上面側からお菓子やチョコレートなどを内部に入れ、この状態で、可撓性外周材の上端側を手で持ち、手提げバックとしてお菓子等を持ち運ぶことができ、お菓子やチョコレートなどの商品を販売する際の包装容器として手提げバックを用いることで、お菓子やチョコレートなどの商品の高級感を演出することができる。
また、可撓性外周材および可撓性収納部は可撓性であるため、折り畳み等して扁平状にして多数枚を積み重ねて小スペースで保管することができ、折り畳み等して低コストで輸送することができる。
【０００７】
また、本考案の手提げバックにおいて、前記可撓性外周材を、細く割った竹を糸で編み連ねた板状の簾とすることもできる。
こうすれば、簾により高級感を演出することができ、内部に入れられる商品の品位を高めることができるものとなる。
【０００８】
また、本考案の手提げバックにおいて、前記可撓性収納部を不織布で形成することもできる。
こうすれば、強度が大なる不織布で構成されるため破損することがなく、また衛生的なものとなる。
【０００９】
また、本考案の手提げバックにおいて、前記簾には図柄が印刷されているものとすることもできる。
こうすれば、簾に印刷された図柄により、季節感や高級感をより良好に演出することができる。
【図面の簡単な説明】
【００１０】
【図１】使用状態の手提げバックの斜視構成図である。
【図２】商品を詰め込む前の状態の手提げバックの斜視構成図である。
【図３】手提げバックを構成する可撓性外周材を展開した状態の斜視構成図である。
【考案を実施するための形態】
【００１１】
次に、本考案を実施するための形態を実施例を用いて説明する。
図１は、手提げバックの使用状態の斜視構成図であり、また図２は、手提げバックを広げて内部に商品を入れる前の斜視構成図である。また図３は、手提げバックを構成する可撓性外周材と可撓性収納部の貼り付け前の斜視構成図である。
【００１２】
手提げバック１は、長方形板状の可撓性外周材２と、上面が開放された有底箱状の可撓性収納部３で構成されている。
可撓性外周材２は、細く割った多数本の竹を糸で編み連ねて長方形板状に形成したものであり、自由に曲げたり重ね合わせたりすることができる。
この可撓性外周材２に対して貼着固定される可撓性収納部３は、強度の大なる不織布で形成されており、底面３ａから、前後の前長尺側面３ｂと後長尺側面３ｃ、および、左右側の短尺側面３ｄ，３ｅが立ち上げ形成されて、上面が開放された有底箱状をなすものであり、この可撓性収納部３は不織布で形成されているため、折り畳んで収納しておくことができるものである。
【００１３】
この可撓性収納部３を箱状にして立てた状態で、可撓性収納部３の底面３ａを、可撓性外周材２の前後方向中央の底面部２ａ上に貼着固定する。また、可撓性収納部３の前長尺側面３ｂおよび後長尺側面３ｃにも接着剤を塗布して、前長尺側面３ｂの外側面に可撓性外周材２の前側面部２ｂを貼着させ、可撓性外周材２の後側面部２ｃを可撓性収納部３の後長尺側面３ｃの外側面に貼着して、可撓性外周材２に可撓性収納部３を一体化する。
この状態で、全体を折り畳む等して多数枚を積み上げて収納しておくことができ、小スペースで大量の手提げバック１を保管しておくことができる。また、輸送する際にも、小スペースでコストを低減させて大量の手提げバック１を輸送できるものである。
【００１４】
可撓性外周材２の前側面部２ｂおよび後側面部２ｃの先端には、前傾斜部２ｄおよび後傾斜部２ｅが連続して一体形成されており、前傾斜部２ｄおよび後傾斜部２ｅの先端側には、それぞれ２個の貫通孔４，４が貫通形成されている。
この貫通孔４，４内にはエンドレス状の手持ち紐５を挿入しておき、使用時には、図１のようにして、手持ち紐５を手で持って手提げバック１を持ち運びすることができる。
【００１５】
手提げバック１の可撓性収納部３内には、例えば、お菓子やチョコレートなどの商品を詰め込むことができ、その他、観光地などで売られる弁当や置物等をこの可撓性収納部３内に入れて持ち運ぶことができ、図１の使用状態では、簾で形成された可撓性外周材２の表面が露出して高級感を呈し、内部に入れられるお菓子などの商品の品位を高めることができるものとなる。
【００１６】
なお、可撓性外周材２の表面に図柄を印刷しておけば、さらに高級感を演出することができ、例えば季節性のあるお菓子を収納する場合には、紅葉の図柄とか、朝顔の図柄とか等を印刷しておくことができ、また、観光地などの土産を入れる手提げバック１として使用する場合には、その観光地の風景の図柄等を印刷しておくことができる。
その他、弁当や贈答品を収納する際には、芝居小屋や野球場などの弁当等を販売する施設特有の図柄を可撓性外周材２の表面に印刷しておくことができる。
【００１７】
さらに可撓性外周材２の色彩と可撓性収納部３および手持ち紐５の色彩を異なるものにして、色彩のコントラストを強調させるように構成することで、より手提げバック１の意匠性を高めることができ、色彩の異なる多種類の可撓性外周材２および可撓性収納部３を組み合わせて、色の配色などの異なる手提げバック１を形成して、より個性的な高級感を演出することができるものとなる。
【符号の説明】
【００１８】
１  手提げバック
２  可撓性外周材（簾）
２ａ  底面部
２ｂ  前側面部
２ｃ  後側面部
２ｄ  前傾斜部
２ｅ  後傾斜部
３  可撓性収納部
３ａ  底面
３ｂ  前長尺側面
３ｃ  後長尺側面
３ｄ，３ｅ  短尺側面
４  貫通孔
５  手持ち紐
【図１】
0003160851.tif 000003
【図２】
0003160851.tif 000004
【図３】
0003160851.tif 000005